(57)【要約】【課題】  合理的かつ簡潔な構成を有し、スムーズな作動が得られる電動エアガンにおける発射モード切り替え装置を提供する。【解決手段】  弾丸を発射するための圧縮エアを発生するピストンシリンダー機構１３、ピストンシリンダー機構１３を作動させる歯車機構１４、歯車機構１４を作動させる電動機１５及びそのスイッチ１６を有する電動エアガン１０において、外部操作により異なる位置を取る発射モードの切り替え部材３５をピストンシリンダー機構１３と電動機１５のスイッチ切り替え系との間に具備し、切り替え部材３５はピストンシリンダー機構１３の作動行程においてピストン２３と係合し、電動機１５のスイッチ１６をオフとする単発モードと、ピストンシリンダー機構１３の作動と関係しない位置を取ることにより引き金４０を引く間電動機１５のスイッチ１６をオンとする連発モードとを選択可能とする。【選択図】          図２
2005121300.tif 000002
【特許請求の範囲】
【請求項１】
弾丸を発射するための圧縮エアを発生するピストンシリンダー機構、ピストンシリンダー機構を作動させる歯車機構、歯車機構を作動させる電動機及びそのスイッチを有する電動エアガンにおいて、外部操作により異なる位置を取る発射モードの切り替え部材をピストンシリンダー機構と電動機のスイッチ切り換え系との間に具備し、切り替え部材は、ピストンシリンダー機構の作動行程においてピストンと係合し、電動機のスイッチをオフとする単発モードと、ピストンシリンダー機構の作動と関係しない位置を取ることにより引き金を引く間電動機のスイッチをオンとする連発モードとを選択可能であることを特徴とする電動エアガンにおける発射モード切り替え装置。
【請求項２】
切り替え部材は、一端部をピストンの移動経路に位置するように、かつピストンとの係合方向への付勢下に設けられており、ピストンの後退により係合したときに、上記付勢力に抗する方向へ移動可能に設けられている請求項１記載の電動エアガンにおける発射モード切り替え装置。
【請求項３】
ピストンの移動経路と、切り替え部材の一端部との交差箇所に傾斜面を有する係合部を設け、傾斜面の分力により切り替え部材を移動可能とした構成を有している請求項１記載の電動エアガンにおける発射モード切り替え装置。
【発明の詳細な説明】
【技術分野】
【０００１】
本発明は、電動エアガンにおける発射モード切り替え装置に関するものである。
【背景技術】
【０００２】
電動エアガンなどと通称されている玩具銃は、ピストンシリンダー機構を電気駆動し、ピストンの前進により生成された圧縮エアで弾丸を発射する構成を有する。この種の玩具銃に関する先行技術には、実開平３−１０４６８８号、同３−１０４６８９号及び特開平３−２２１７９３号の一連の考案及び発明がある。これらは、モーター駆動のギヤ機構によりピストン側に設けたラックを介してピストンを後退させ、圧縮ばねを蓄圧し、ギヤ機構の中のギヤとラックとの噛合が外れたときにピストンを解放し、圧縮行程を実施するという基本的構成を開示している。
【０００３】
上記の発明は基本的構成において画期的なもので、現在も変わらないと言って良いが、給弾機構は改良され、例えば登録実用新案第３０１８２７１号に開示されているように、ピストンシリンダー機構全体を後退させることによりシリンダー前端のノズル前方に空間を作り、そこに弾丸を供給するようになっている。しかし単発と連発の切り換えは、前記の考案、発明のままでは部品の形態や配置上万全でない点もあり、改良の余地が残されていた。
【０００４】
【特許文献１】実開平３−１０４６８８号
【特許文献２】実開平３−１０４６８９号
【特許文献３】特開平３−２２１７９３号
【特許文献４】登録実用新案第３０１８２７１号
【発明の開示】
【発明が解決しようとする課題】
【０００５】
本発明は前記の点に着目してなされたもので、その課題は、合理的かつ簡潔な構成を有し、スムーズな作動が得られる電動エアガンにおける発射モード切り替え装置を提供することである。また本発明の他の課題は、極めてコンパクトにまとめられる電動エアガンにおける発射モード切り替え装置を提供することである。
【課題を解決するための手段】
【０００６】
前記の課題を解決するため、本発明は、弾丸を発射するための圧縮エアを発生するピストンシリンダー機構、ピストンシリンダー機構を作動させる歯車機構、歯車機構を作動させる電動機及びそのスイッチを有する電動エアガンにおいて、外部操作により異なる位置を取る発射モードの切り替え部材をピストンシリンダー機構と電動機のスイッチ切り換え系との間に具備し、切り替え部材は、ピストンシリンダー機構の作動行程においてピストンと係合し、電動機のスイッチをオフとする単発モードと、ピストンシリンダー機構の作動と関係しない位置を取ることにより引き金を引く間電動機のスイッチをオンとする連発モードとを選択可能とするという手段を講じたものである。
【０００７】
上記構成中、ピストンシリンダー機構、歯車機構、電動機及びそのスイッチから成る基本的構成については、従来のものと共通性を持っていても良い。ピストンシリンダー機構は、ピストンの後退と関連して後退することにより、次弾を装弾部に装填する上で、弾丸供給系と作動上の関連性を持ち得る。歯車機構は、ピストンシリンダー機構側に設けられる噛み合いの相手と、電動機の回転出力を利用可能な形にして取り出す減速歯車組とを含む。減速歯車組の最終ギヤのピニオンと、ピストン側のラックとが噛み合い、ピストンを後退させる従来の構成は本発明でも踏襲することができる。
【０００８】
また、電動機のスイッチは引き金操作と連動し、引き金を引くとスイッチがオンとなり（入り）、離せばスイッチがオフとなる（切れる）。本発明における単発モードという発射モードは、引き金を１回引く毎に１回の発射動作が行われ、引き金を引きつづけても発射動作が繰り返されないという作動形態を意味する。また連発モードとは、引き金を引き続けている間は発射動作が繰り返し行われるという作動形態を意味する。
【０００９】
切り替え部材は、ピストンシリンダー機構と電動機のスイッチとの間に配置され、ピストンシリンダー機構の作動に関連して動作し、その作動は、電動機のスイッチを切り換える。この切り換えによりスイッチがオフとなり、再度スイッチがオンとなるのは次の引き金操作による。つまり、１回の発射動作の都度、作動を停止する単発モードは切り替え部材を介して行われる。これに対して、切り替え部材が機能しない場合には、引き金を引き続ける限り発射動作が繰り返される、連発モードが実施される。
【００１０】
単発モードと連発モードのどちらかを選択するために、切り替え部材の位置を切り替える。つまり切り替え部材は、外部操作で切り替えられ、異なる位置を取る。この外部操作は、例えば、銃本体の外部に取り付けた切り替えレバーやボタンのような部品を通じて行われるが、そのための機構や構造は任意に選択することができる。
【００１１】
切り替え部材は、一端部をピストンの移動経路に位置するように、かつピストンとの係合方向への付勢下に設けられており、ピストンの後退により係合したときに、上記付勢力に抗する方向へ移動可能に設けられている。ピストンの移動経路を前後方向とすると、切り替え部材の移動方向を上下方向とし、交差箇所に傾斜面を有する係合部を設け、傾斜面の分力を移動力として切り替え部材を移動させることができる。
【発明の効果】
【００１２】
本発明は上記のような構成を有しかつ作用するものであるから、ピストンシリンダー機構と電動機のスイッチとが切り替え部材によって連絡され、この切り替え部材を機能させるかさせないかの選択によって単発モードと連発モードを切り替えられるので、作動がスムーズかつ確実であり、ピストンシリンダー機構と歯車機構、電動機及びそのスイッチに切り替え機構を組み合わせて構成されるから装置全体を極めてコンパクトにまとめられるという効果を奏する。
【発明を実施するための最良の形態】
【００１３】
図１は、本発明に係る発射モード切り替え装置１１を搭載した電動エアガン１０を例示するもので、１２は銃本体、１３はピストンシリンダー機構、１４は歯車機構、１５は電動機そして１６はそのスイッチを示す。
【００１４】
図２以下に詳細に示されているように、ピストンシリンダー機構１３は、シリンダースライド部２０にスライド可能にセットされたシリンダー２１を有し、シリンダー２１は先端部にノズル２２を有している。ピストン２３はシリンダー内にスライド可能に組み込まれ、かつ圧縮ばね２４により圧縮方向に付勢されている。ピストン２３は下部にラック部２５を有し、シリンダー２１の下部には、後述のセクターギヤ係止部２８と係止可能な係止相手２６が設けられている。２７はシリンダー戻しばねを示す。
【００１５】
歯車機構１４は、所要段数のギヤから成る減速歯車組３０を有し、第１のギヤ３１は電動機１５のピニオンと噛み合い、最終のギヤ３２と同軸のピニオンセクターギヤ３３は、ラック部２５と噛み合い可能である。ピニオンセクターギヤ３３は１回転でピストン２３を後退させる歯数を有する歯部とともに、ラック部２５と噛み合いを生じない無歯部３４とを有している。ピストンシリンダー機構１３と、減速歯車組３０と、電動機１５及びスイッチ１６を含む装置部品は本体基盤１９に組み付けられ、ユニットとして取り扱われ
る。
【００１６】
本体基盤１９には、切り替え部材３５が、電動機１５と減速歯車組３０との間におい
て、上下動可能に組み込まれている。切り替え部材３５の一端部３６は、ピストン２３下部後方に設けられている傾斜面３７を有する係合部の移動経路上に位置している。この傾斜面３７はカム機能を有し、係合時その傾斜面３７の分力により、切り替え部材３５を押し下げることができる。切り替え部材３５の他の端部３８は、スイッチ１６と引き金４０とを連絡する中間部材３９に接触する。中間部材３９は、引き金４０によって押されることによりスイッチ１６を切り換える図３の状態と、スイッチから離れて引き金操作がスイッチ１６に及ばないようにする図９の状態とを取る。中間部材３９と引き金４０はスイッチ切り換え系を構成する。
【００１７】
中間部材３９は基盤１９に軸支され、引き金４０とスイッチ１６とを連結する状態に戻す方向へ作用する力を受けている。またスイッチ１６は戻しばね４１による作用力を受けており、中間部材３９側からのスライド操作１回毎にオンオフされるようになっている。また切り替え部材３５は、上下動可能な位置を取る一方で、連発モードのために、スイッチ１６を切り換える中間部材３９に接触しない位置を取るように設けられている。電動機１５への電源装置は銃本体１２に内蔵されている。
【００１８】
なお、シリンダー先端のノズル２２が入り込んでいる給弾部には弾丸供給系４２が接続されており、ノズル２２が後退したときに１発の球形の弾丸４４を送り込むことができるようになっている。４３はノズル前方の装弾部であり、コッキングを完了したときに球形の弾丸４４がそこに配置される。
【００１９】
次に、図２以下を参照して本発明装置１１の作動を説明する。図２は、弾丸供給系４２が接続され、電源が投入されて、いつでも作動を開始できる状態を示しており、このときラック部２５と最終ギア３２のピニオン３３とは第１歯の噛み合いが可能な段階にある。また切り替え部材３５は、ばね４５によって上方に押され、一端部３６はピストン下部の移動経路上に位置している。
【００２０】
<単発モード＞
引き金４０を引くと、中間部材３９が図３中、左方に押され、スイッチ１６を同左方へ押し動かすことにより、オンとなり、電動機１５が始動する。それにより減速歯車組３０を経て最終のギア３２と同軸のピニオン（セクターギヤ）３３がラック部２５と噛み合
い、まずピストン２３が圧縮ばね２４のばね力に抗して後退を開始する（図４）。ピストン２３が後退を始めて所要の時間を経過すると、セクターギヤ３３の係止部２８がシリンダー側係止相手２６と当接するようになり（図５）、シリンダー２１が後退を開始する。シリンダー２１の後退によりノズル前方の給弾部に弾丸が１発送り込まれ（図６）、係止部２８が係止相手２６の係止から離脱することでシリンダー２１が前進し、原位置へ戻
り、先程の１発の弾丸４４を装弾部４３に送り込む（図７）。
【００２１】
弾丸装填後も後退を続けるピストン２３係合部の傾斜面が切り替え部材３５の一端部３６に到達し、後退する間に傾斜面３７の分力で切り替え部材３５を下へ押す（図８）。切り替え部材３５は下降により他端部３８が中間部材３９を押し下げ、それによってスイッチ１６を押していた力がなくなるためオフの状態になる、これと同時にセクターギヤ３３の最後の歯がラック部２５との噛み合いを脱するようになる（図９）。そこで、ピストン２３は圧縮ばね２４の全蓄力を受けて瞬時に前進し、圧縮エアをノズル２２から噴出することにより、弾丸４４を発射できることとなる。ここで、切り替え部材３５を押し下げていた外力がなくなるので、引き金４０を離すと再び中間部材３９は作用力を伝達可能な状態となり、通電状態となり、図２の状態に戻る。
【００２２】
＜連発モード＞
連発モードでは、図外の切り替えレバーを操作して、切り替え部材３５の一端部３８がピストン２３の移動経路から外れた状態に切り替える。このレバーによる切り替えでは、切り替え部材３５の他端部が中間部材３９に接触しない位置に移動させられているものとする（図１１）。そこで引き金４０を引くと、電動機１５が始動し、ピストン２３を後退させる動作が始まる。図３と同じ段階である（図１２）。この後ピストン後退の進展とともに、セクターギア３３の係止部２８がシリンダー２１を一時的に後退させて（図１３、図１４）弾丸供給系４２から、弾丸４４を１発給弾部へ送り込み（図１５）、さらに装弾部にセットする（図１６）。
【００２３】
ピストン２３が後退限界まで移動しても、連発モードでは切り替え部材３５が接触しない位置に移動しているので、引き金操作により通電状態にある電動機１５の作動は継続して行われる（図１７、図１８）。そしてセクターギヤ３３がラック部２５との噛み合いから脱することにより、ピストン２３が瞬時に前進して圧縮エアを発生し、弾丸４４に向けて噴射することとなる（図１９）。連発モードでは、引き金４０を引き続ける間、電動機１５が作動し続けるので、弾丸供給が続く限り上記の作動が繰り返され、従って連発銃として機能する。
【図面の簡単な説明】
【００２４】
【図１】本発明に係る発射モード切り替え装置を適用した電動エアガンの１例を示す要部破断側面図。
【図２】同上要部を拡大して示す側面図で単発モードにおける操作状態のもの。
【図３】引き金を引いた瞬間の説明図。
【図４】ピストン後退開始を示す説明図。
【図５】シリンダ後退開始直後の説明図。
【図６】弾丸供給状態の説明図。
【図７】弾丸装填完了状態の説明図。
【図８】切り替え部材とピストンとの接触を示す説明図。
【図９】切り替え部材の下降によるスイッチオフを示す説明図。
【図１０】ピストン前進と弾丸発射を示す説明図。
【図１１】連発モードにおける図２と同様の説明図。
【図１２】同じく図３に対応する図。
【図１３】同じく図４に対応する図。
【図１４】同じく図５に対応する図。
【図１５】同じく図６に対応する図。
【図１６】同じく図７に対応する図。
【図１７】ピストン係合部と切り替え部材との非接触を示す説明図。
【図１８】ピストンの後退限界を示す説明図。
【図１９】ピストン前進と弾丸発射を示す説明図。
【符号の説明】
【００２５】
１０  電動エアガン
１１  発射モード切り替え装置
１２  銃本体
１３  ピストンシリンダー機構
１４  歯車機構    
１５  電動機
１６  スイッチ
２１  シリンダー
２２  ノズル
２３  ピストン  
２４  圧縮ばね
２５  ラック部
２６  係止相手
２８  セクターギヤ係止部  
３０  減速歯車組
３３  ピニオン（セクターギヤ）
３５  切り替え部材
３６  一端部
３７  傾斜面  
３９  中間部材
４０  引き金
４４  弾丸
【図１】
2005121300.tif 000003
【図２】
2005121300.tif 000004
【図３】
2005121300.tif 000005
【図４】
2005121300.tif 000006
【図５】
2005121300.tif 000007
【図６】
2005121300.tif 000008
【図７】
2005121300.tif 000009
【図８】
2005121300.tif 000010
【図９】
2005121300.tif 000011
【図１０】
2005121300.tif 000012
【図１１】
2005121300.tif 000013
【図１２】
2005121300.tif 000014
【図１３】
2005121300.tif 000015
【図１４】
2005121300.tif 000016
【図１５】
2005121300.tif 000017
【図１６】
2005121300.tif 000018
【図１７】
2005121300.tif 000019
【図１８】
2005121300.tif 000020
【図１９】
2005121300.tif 000021